(57)【特許請求の範囲】
【請求項１】
回転軸の周囲に前記回転軸と同心的に形成され複数の情報が円周上に印された標識部と、前記標識部から所定方向に延びる第１の指示部とが設けられた第１の指針と、
この第１の指針と同心的に回転して、前記回転軸の周囲に形成され前記標識部に印された複数の情報の１つを選択的に指示する第２の指示部と、この第２の指示部から所定方向に延びる第３の指示部とが設けられた第２の指針と、
前記第１の指針の前記第１の指示部が予め決められた方向を指すように、前記第１の指針を回転させる第１の制御手段と、
前記第２の指針を回転させて、前記第２の指針の前記第２の指示部に前記標識部の前記複数の情報のうち１つの情報を選択的に示させる第２の制御手段と
を備えることを特徴とする指針表示装置。
【請求項２】
回転軸の周囲に前記回転軸と同心的に形成され複数の情報が円周上に印された標識部と、前記標識部から所定方向に延びる第１の指示部とが設けられた第１の指針と、
この第１の指針と同心的に回転して、前記回転軸の周囲に形成され前記標識部に印された複数の情報の１つを選択的に指示する第２の指示部と、この第２の指示部から所定方向に延びる第３の指示部とが設けられた第２の指針と、
前記第２の指針の前記第２の指示部が予め定められた方向を指すように、前記第２の指針を回転させる第３の制御手段と、
前記第１の指針を回転させて、前記標識部に印された前記複数の情報のうち１つの情報を前記第２の指針の前記第２の指示部の位置に対応させる第４の制御手段と、
を備えたことを特徴とする指針表示装置。
【請求項３】
前記予め定められた方向は、前記標識部を用いて表示させる内容に基づいて所定の複数の方向から選択される
ことを特徴とする請求項１又は２記載の指針表示装置。
【請求項４】
前記標識部に印された前記複数の情報は、前記所定の複数の方向にそれぞれ対応した向きで各々設けられている
ことを特徴とする請求項３記載の指針表示装置。
【請求項５】
前記第２の指針は、前記第１の指針の上部に設けられ、
前記第２の指示部は、切欠形状であり、前記標識部に印された複数の情報のうち１つを選択的に露出させる
ことを特徴とする請求項１〜４の何れか一項に記載の指針表示装置。
【請求項６】
外部機器との間で無線通信を介して情報の送受信を行う通信手段を備え、
前記複数の情報は、この通信手段により取得された情報である
ことを特徴とする請求項１〜５の何れか一項に記載の指針表示装置。
【請求項７】
前記複数の情報と対応付けて予め設定された情報の内容を記憶する記憶手段を備え、
前記第２の制御手段は、前記記憶手段に記憶された内容に基づいて前記第２の指針を移動させる
ことを特徴とする請求項１に記載の指針表示装置。
【請求項８】
前記複数の情報と対応付けて予め設定された情報の内容を記憶する記憶手段を備え、
前記第４の制御手段は、前記記憶手段に記憶された内容に基づいて前記第１の指針を移動させる
ことを特徴とする請求項２に記載の指針表示装置。
【発明の詳細な説明】
【技術分野】
【０００１】
この発明は、複数の指針を備えた指針表示装置に関する。
【背景技術】
【０００２】
従来、外部装置との間で通信を行い、受信されたデータや情報を表示させることの可能な電子時計がある。このような電子時計は、多くの場合には、デジタル表示機能を備えたものであり、デジタル表示部に文字、図形、或いは、標識などを表示させることで、ユーザは、種々の情報を容易に知得することが出来る。
【０００３】
一方、指針のみを用いたアナログ式の電子時計では、不特定の受信内容を表示してユーザに伝えることが困難である。そこで、従来、受信情報に基づいて指針に文字盤上の時刻目盛を指し示させることで番号（数字）を通知したり、文字盤の周縁部やベゼルなどに設けられた標識を指し示させたりすることで、予め定められた所定の情報を通知するページャ機能を備えたアナログ式電子時計が開発されている（例えば、特許文献１、特許文献２）。また、指針が指し示す数字標識を順番に変化させていくことで、電話番号などの複数の数字列を通知させることも可能となっている。
【先行技術文献】
【特許文献】
【０００４】
【特許文献１】特開平６−６６９６３号公報
【特許文献２】特表平９−５０６７１０号公報
【発明の概要】
【発明が解決しようとする課題】
【０００５】
しかしながら、従来の技術では、単純に一又は複数の指針により文字盤やベゼルなどの標識や目盛を指し示す構成であるので、どの指針がどの標識を指しているのか分からなかったり、更には、受信した情報を指し示した状態であるのか否かが良く分からなかったりする場合が生じるという課題があった。
【０００６】
この発明の目的は、選択的に指し示される情報を容易に読み取り可能な指針表示装置を提供することにある。
【課題を解決するための手段】
【０００７】
本発明は、上記目的を達成するため、
回転軸の周囲に前記回転軸と同心的に形成され複数の情報が円周上に印された標識部と、前記標識部から所定方向に延びる第１の指示部とが設けられた第１の指針と、
この第１の指針と同心的に回転して、前記回転軸の周囲に形成され前記標識部に印された複数の情報の１つを選択的に指示する第２の指示部と、この第２の指示部から所定方向に延びる第３の指示部とが設けられた第２の指針と、
前記第１の指針の前記第１の指示部が予め決められた方向を指すように、前記第１の指針を回転させる第１の制御手段と、
前記第２の指針を回転させて、前記第２の指針の前記第２の指示部に前記標識部の前記複数の情報のうち１つの情報を選択的に示させる第２の制御手段と
を備えることを特徴とする指針表示装置である。
【発明の効果】
【０００８】
本発明に従うと、指針表示装置において、選択的に指し示される情報が容易に読み取ることが出来るという効果がある。
【図面の簡単な説明】
【０００９】
【図１】本発明の実施形態のアナログ電子時計を含む情報表示システムを示す図である。
【図２】第１実施形態のアナログ電子時計の正面図である。
【図３】第１実施形態のアナログ電子時計の時針を示す図である。
【図４】アナログ電子時計の内部構成を示すブロック図である。
【図５】スマートフォンの内部構成を示すブロック図である。
【図６】アナログ電子時計のＲＡＭに記憶させたテーブルの内容を示す図である。
【図７】アナログ電子時計のＣＰＵが実行する報知処理の制御手順を示すフローチャートである。
【図８】第１実施形態のアナログ電子時計の時針及び分針による表示例を示す図である。
【図９】第２実施形態のアナログ電子時計の正面図である。
【図１０】第２実施形態のアナログ電子時計の時針を示す図である。
【図１１】第２実施形態のアナログ電子時計のＣＰＵが実行する報知処理の制御手順を示すフローチャートである。
【図１２】第２実施形態のアナログ電子時計の時針及び分針による表示例を示す図である。
【図１３】第２実施形態のアナログ電子時計の時針及び分針による表示例を示す図である。
【図１４】第２実施形態のアナログ電子時計の時針及び分針による表示例の変形例を示す正面図である。
【図１５】第２実施形態のアナログ電子時計の時針の変形例を示す図である。
【図１６】第３実施形態のアナログ電子時計の正面図である。
【図１７】第３実施形態のアナログ電子時計の時針を示す図である。
【図１８】第３実施形態のアナログ電子時計のＣＰＵが実行する報知処理の制御手順を示すフローチャートである。
【図１９】第３実施形態のアナログ電子時計の時針及び分針による表示例を示す図である。
【発明を実施するための形態】
【００１０】
以下、本発明の実施の形態を図面に基づいて説明する。
【００１１】
［第１実施形態］
先ず、第１実施形態のアナログ電子時計について説明する。
図１は、本発明の指針表示装置の実施形態としてのアナログ電子時計を含む情報表示システムの全体構成を示す図である。
【００１２】
この情報表示システム１は、アナログ電子時計４０と、スマートフォン１０とにより構成される。アナログ電子時計４０がスマートフォン１０から情報を受信すると、この受信された情報に基づいてアナログ電子時計４０では表示動作が行われる。
【００１３】
図２は、第１実施形態のアナログ電子時計４０の正面図である。
このアナログ電子時計４０の本体は、ケーシング６２と文字盤６３と前面を覆う図示略の風防ガラスとの間に設けられた時針４６と分針４７とを備えている。風防ガラスの周縁部には、ベゼル６４が設けられ、また、ケーシング６２の側面には、４つの押しボタンスイッチＢ１〜Ｂ４が設けられている。
このアナログ電子時計４０は、図示略のバンドを用いてユーザの腕に装着可能な携帯型電子腕時計である。
【００１４】
文字盤６３には、一の円周上に毎正時を示す目盛が設けられている。また、ベゼル６４の３時方向には標識「ＭＡＩＬ」が設けられ、９時方向には、標識「ＴＥＬ」が設けられている。
【００１５】
時針４６（第１の指針）及び分針４７（第２の指針）は、何れも文字盤６３の中央付近に設定されたほぼ同一の回転軸に対し、即ち、同心的に、各々独立に回転可能に構成されている。また、時針４６は、指示部４６１（第１の指示部）と円板部４６２（標識部）とを備え、分針４７は、指示部４７１（第３の指示部）と円板部４７２とを備える。分針４７の円板部４７２には、切欠部４７３（第２の指示部）が設けられている。
【００１６】
図３は、第１実施形態のアナログ電子時計４０の時針４６の構造を示す図である。
時針４６の円板部４６２には、２つの円周上に１〜１２の数値を示す標識が半周ずつに分けられて２個ずつ設けられている。これらの半周ずつに示された数値標識のうち、着信電話の発信者を示す発信者識別番号標識は、指示部４６１が９時方向を指しているときに上（１２時方向）向きになるように設けられ、また、着信電子メールの送信者を示す送信者識別番号標識は、指示部４６１が３時方向を指しているときに上向きになるように設けられている。発信者識別番号標識と送信者識別番号標識は、必ずしも同一の番号を表示する必要はなく、また、半周ずつ均等に示される必要もない。また、発信者識別番号標識と送信者識別番号標識とで、異なる色やフォントを用いて設けることとしてもよい。
【００１７】
これら２４個の数値標識の大きさは、それぞれ、分針４７に設けられた切欠部４７３の幅と対応しており、切欠部４７３から１つが選択的に露出されるようになっている。
【００１８】
図４は、アナログ電子時計４０の内部構成を示すブロック図である。また、図５は、スマートフォン１０の内部構成を示すブロック図である。
【００１９】
図４に示すように、アナログ電子時計４０は、ＣＰＵ（Central Processing Unit）４１（第１の制御手段、第２の制御手段、第３の制御手段、第４の制御手段）と、ＲＯＭ（Read Only Memory）４２と、ＲＡＭ（Random Access Memory）４３と、操作部４４と、計時回路４５と、輪列機構４８を介して時針４６を回転させるステップモータ５０と、輪列機構４９を介して分針４７を回転させるステップモータ５１と、ステップモータ５０、５１をステップ駆動するステップモータ駆動回路５２と、アンテナＡＮ４と、Bluetoothモジュール５３（Bluetooth:登録商標）及びＵＡＲＴ（Universal Asynchronous Receiver Transmitter）５４と、振動モータ５５及びそのドライバ５６と、ピエゾ素子５７及びそのドライバ５８と、ＬＥＤ（発光ダイオード）５９及びそのドライバ６０と、ＣＰＵ４１と各部との間で信号のやり取りをするバス６１などを備えている。
【００２０】
ＣＰＵ４１は、アナログ電子時計４０の全体動作の統轄制御及び各種演算処理を行う。ＣＰＵ４１は、計時回路４５の計数する現在時刻に基づいてステップモータ駆動回路５２にステップモータ５０、５１を駆動させ、時針４６及び分針４７により時刻表示を行わせる。また、ＣＰＵ４１は、Bluetoothモジュール５３を介してスマートフォン１０から取得された情報に基づいて表示内容を決定し、この表示内容に従ってステップモータ駆動回路５２にステップモータ５０、５１を駆動させ、時針４６及び分針４７により情報を表示させる。
【００２１】
ＲＯＭ４２は、ＣＰＵ４１が実行する種々のプログラムや初期設定データを格納する。ＲＯＭ４２には、スマートフォン１０とBluetooth通信を行うための通信プログラムが含まれる。
【００２２】
ＲＡＭ４３は、ＣＰＵ４１に作業用のメモリ空間を提供する。またＲＡＭ４３には、登録された電話番号をその識別番号と関連付けて所定数（例えば、１１個）まで記憶させることのできる登録番号テーブル４３ａと、登録されたメールアドレスをその識別番号と関連付けて所定数（例えば、１１個）まで記憶させることの出来る登録アドレステーブル４３ｂとが記憶されている。
【００２３】
操作部４４は、４つのボタンスイッチＢ１〜Ｂ４を備え、ユーザが当該スイッチに対して行った操作を電気信号に変換して、入力信号としてＣＰＵ１１に出力する。或いは、この操作部４４は、タッチパネルであっても良い。
【００２４】
計時回路４５は、現在時刻を計数して保持するカウンタである。この現在時刻が読み出されて、時針４６及び分針４７によって表示されたり、当該現在時刻データと各種機能に係る設定時刻データと比較されて種々の動作が行われたりする。
【００２５】
Bluetoothモジュール５３は、アンテナＡＮ４を介して外部機器との間でブルートゥース通信を行うための制御モジュールである。ＣＰＵ４１から送られた送信データは、ＵＡＲＴ５４でシリアル／パラレル変換などの処理が行われて、Bluetoothモジュール５３からスマートフォン１０などの外部機器に送信される。また、外部機器からBluetoothモジュール５３を用いて受信された受信データは、ＵＡＲＴ５４でシリアル／パラレル変換などの処理が行われて、ＣＰＵ４１へ出力される。
【００２６】
振動モータ５５、ピエゾ素子（ＰＺＴ）５７、及び、ＬＥＤ（発光ダイオード）５９は、それぞれ振動、ブザー音、及び、光を発することでユーザに通知を行うためのものである。ＣＰＵ４１からドライバ５６、５８、６０にそれぞれ制御信号が送られると、ドライバ５６、５８、６０は、それぞれ、振動モータ５５、ピエゾ素子５７、ＬＥＤ５９を動作させるのに必要な電圧信号に変換して出力する。
【００２７】
ステップモータ駆動回路５２は、ＣＰＵ４１からステップモータ５０、５１の駆動命令を受け取ってステップモータ５０、５１を各々独立に駆動する駆動パルスを出力する。ステップモータ５０、５１は、各々ステップモータ駆動回路５２から入力された駆動パルスによりステップ駆動されて、駆動パルスの電圧波形に基づいて正転方向又は逆転方向に所定角度（例えば、１８０度）回転する。輪列機構４８、４９は、それぞれ複数の歯車列により構成され、ステップモータ５０、５１の回転角度を歯車比で調整して所定角度（例えば、１度）の回転を時針４６及び分針４７に与える。
【００２８】
スマートフォン１０は、図５に示すように、ＣＰＵ１１と、ＲＯＭ１２と、ＲＡＭ１３と、記憶部１４と、操作部１５と、内蔵時計１６と、表示部１７及びそのドライバ１８と、スピーカ１９と、マイク２０と、コーデック２１と、ＲＦ送受信回路２２と、ＲＦ送受信用のアンテナＡＮ１１と、通信回路２３と、Bluetoothモジュール２４と、ＵＡＲＴ２５と、Bluetooth通信の送受信用アンテナＡＮ１２と、ＣＰＵ１１と各部とを接続するバス２６などを備えている。
【００２９】
ＣＰＵ１１は、スマートフォン１０の全体動作の統轄制御及び各種演算処理を行う。また、ＣＰＵ１１は、操作部１５への入力操作による設定情報に基づいてBluetoothモジュール２４に制御信号を送ってアナログ電子時計４０との通信接続を確立する。そして、ＣＰＵ１１は、スマートフォン１０に電話の着信や電子メールの着信があると、アナログ電子時計４０に対して電話の発信者や電子メールの送信者に関する着信情報を送信させる。
【００３０】
ＲＯＭ１２は、ＣＰＵ１１が実行する種々のプログラムや初期設定データを格納する。また、ＲＡＭ１３は、ＣＰＵ１１に作業用のメモリ空間を提供し、作業用の一時データを記憶する。
【００３１】
記憶部１４は、不揮発性の読み書き可能なメモリであり、例えば、フラッシュメモリやＥＥＰＲＯＭ（Electrically Erasable and Programmable Read Only Memory）である。この記憶部１４には、例えば、登録された電話番号を記憶する電話帳データ、登録された電子メールアドレスを記憶するアドレス帳データ、スマートフォン１０で実行する種々のアプリケーションプログラムや各種機能に係る保存データや設定データが記憶される。
【００３２】
操作部１５は、タッチパネルの操作入力を検知し、表示部１７に表示されたメニューに基づいてユーザにより接触入力された操作内容を電気信号に変換し、入力信号としてＣＰＵ１１に出力する。或いは、この操作部１５は、複数の操作キーを備え、ユーザが当該キーに対して行った操作に基づいて電気信号に変換した入力信号をＣＰＵ１１に出力する構成を含むこととしても良い。
【００３３】
内蔵時計１６は、現在時刻を計数して保持するカウンタである。この現在時刻が読み出されて、表示部１７に表示される。また、当該現在時刻データと各種機能に係る設定時刻データとが比較されて種々の動作が行われる。この内蔵時計１６の現在時刻データは、ＲＦ送受信回路２２による携帯基地局との通信時に随時修正される。
【００３４】
表示部１７は、例えば、ＬＣＤ（液晶ディスプレイ）である。ＣＰＵ１１から送られた制御信号によりドライバ１８（液晶ドライバ）が動作し、ＬＣＤを駆動してスマートフォン１０の各種機能に係る表示を行わせる。この表示部１７は、他の方式によるもの、例えば、有機ＥＬＤ（Electro-Luminescent Display）であっても良く、ドライバ１８は、表示方式により適宜選択される。また、この表示部１７は、タッチパネルとしてユーザに入力操作を行わせるためのメニュー表示を行う。
【００３５】
スピーカ１９は、コーデック２１からの信号に基づいて電気信号を音声信号に変換して音声を出力する。また、マイク２０は、音波を検知して電気信号に変換し、コーデック２１に出力する。コーデック２１は、符号化圧縮されたデジタル音声信号をデコードしてアナログ信号としてスピーカ１９へ送るとともに、マイク２０から取得された音声信号をエンコードしてＣＰＵ１１や通信回路２３へ出力する。なお、通話用のスピーカと音声を外部に出力するためのスピーカを別個に備えることとしてもよい。
【００３６】
ＲＦ送受信回路２２は、ＲＦ送受信用アンテナＡＮ１１を用いて携帯基地局との間で行われる電話通信やメールなどのパケット通信の送受信処理を行う。また、通信回路２３は、ＲＦ送受信回路２２により送受信される送受信データの各種処理を行い、ＣＰＵ１１やコーデック２１との間でデータの受け渡しを行う。
【００３７】
Bluetoothモジュール２４は、アンテナＡＮ１２を介してアナログ電子時計４０などの他の電子機器とBluetooth通信を行うための制御モジュールである。ＣＰＵ１１から送られた送信データは、ＵＡＲＴ２５でシリアル／パラレル変換などの処理が行われて、Bluetoothモジュール２４から他の電子機器に送信される。また、他の電子機器からBluetoothモジュール２４を用いて受信された受信データは、ＵＡＲＴ２５でパラレル／シリアル変換などの処理が行われて、ＣＰＵ１１へ出力される。
【００３８】
図６は、アナログ電子時計４０のＲＡＭ４３に記憶された登録電話番号及び登録電子メールアドレスのテーブルを示す図である。
【００３９】
図６（ａ）に示すように、ＲＡＭ４３に記憶されているデータには、識別番号１〜１１に各々対応付けて登録された電話番号１〜電話番号１１が記憶された登録番号テーブル４３ａが含まれている。また、図６（ｂ）に示すように、ＲＡＭ４３に記憶されているデータには、識別番号１〜１１に各々対応付けて登録されたメールアドレス１〜メールアドレス１１が記憶された登録アドレステーブル４３ｂが含まれている。
なお、これら登録番号テーブル４３ａ及び登録アドレステーブル４３ｂへの電話番号及び電子メールアドレスの登録は、アナログ電子時計４０で直接ユーザにより操作部４４から入力されることで行われても良いし、スマートフォン１０で設定されたものをアナログ電子時計４０に転送することで行われても良い。
【００４０】
次に、本実施形態のアナログ電子時計４０において、ブルートゥース通信を介して受信された電話又は電子メールの着信情報を通知する動作手順について説明する。
【００４１】
図７は、電話又は電子メールの着信情報を通知する報知処理のＣＰＵ４１による制御手順を示すフローチャートである。
【００４２】
この報知処理は、アナログ電子時計４０とスマートフォン１０との間でブルートゥース通信の接続が確立されている状態の間に継続的に実行される処理である。
【００４３】
報知処理が呼び出されると、ＣＰＵ４１は、スマートフォン１０からのデータ受信があったか否かを判別する（ステップＳ４０１）。データ受信がないと判別された場合には、ＣＰＵ４１は、継続的にステップＳ４０１の処理を繰り返し行う。
【００４４】
スマートフォン１０からのデータ受信があったと判別されると、ＣＰＵ４１は、次に、受信データの内容が電話着信を示す信号であるか否かを判別する（ステップＳ４０２）。電話着信を示す信号ではないと判別された場合には、ＣＰＵ４１は、更に、受信データの内容がメール着信を示す信号であるか否かを判別する（ステップＳ４１２）。メール着信を示す信号ではないと判別された場合には、ＣＰＵ４１は、その他のデータの受信処理を実行し（ステップＳ４２２）、報知処理を終了する。
【００４５】
ステップＳ４０２の処理で、電話着信を示す信号であると判別された場合には、ＣＰＵ４１は、先ず、時針４６を９時位置に移動させる命令をステップモータ駆動回路５２に出力する（ステップＳ４０３）。次に、ＣＰＵ４１は、電話発信者の識別処理を行う（ステップＳ４０４）。具体的には、ＣＰＵ４１は、受信した電話番号データを登録番号テーブル４３ａに記憶された電話番号と比較して、電話番号と対応する発信者識別番号を取得する。
【００４６】
ＣＰＵ４１は、受信した電話番号データが登録番号テーブル４３ａに記憶されているか否かを判別する（ステップＳ４０５）。着信電話番号が登録番号テーブル４３ａに記憶されていると判別された場合には、ＣＰＵ４１は、発信者識別番号標識の中から、取得された発信者識別番号に対応する標識を切欠部４７３から選択的に露出させるように分針４７を移動させる命令をステップモータ駆動回路５２に出力する（ステップＳ４０６）。それから、ＣＰＵ４１の処理は、ステップＳ４０１に戻って同様の処理を繰り返す。一方、着信電話番号が登録番号テーブル４３ａに記憶されていないと判別された場合には、ＣＰＵ４１は、発信者識別番号標識「１２」を切欠部４７３から露出させるように分針４７を移動させる命令をステップモータ駆動回路５２に出力する（ステップＳ４０７）。それから、ＣＰＵ４１の処理は、ステップＳ４０１に戻って同様の処理を繰り返す。
【００４７】
ステップＳ４１２の処理で、メール着信を示す信号であると判別された場合には、ＣＰＵ４１は、時針４６を３時位置に移動させる命令をステップモータ駆動回路５２に出力する（ステップＳ４１３）。次に、ＣＰＵ４１は、メール送信者の識別処理を行う（ステップＳ４１４）。具体的には、ＣＰＵ４１は、受信したメールアドレスデータを登録アドレステーブル４３ｂに記憶されたメールアドレスと比較して、メールアドレスに対応する送信者識別番号を取得する。
【００４８】
ＣＰＵ４１は、受信したメールアドレスデータが登録アドレステーブル４３ｂに記憶されているか否かを判別する（ステップＳ４１５）。着信メールアドレスが登録アドレステーブル４３ｂに記憶されていると判別された場合には、ＣＰＵ４１は、送信者識別番号標識の中から、取得された送信者識別番号に対応する標識を切欠部４７３から選択的に露出させるように分針４７を移動させる命令をステップモータ駆動回路５２に出力する（ステップＳ４１６）。それから、ＣＰＵ４１の処理は、ステップＳ４０１に戻って同様の処理を繰り返す。一方、着信メールアドレスが登録アドレステーブル４３ｂに記憶されていないと判別された場合には、ＣＰＵ４１は、送信者識別番号標識「１２」を切欠部４７３から露出させるように分針４７を移動させる命令をステップモータ駆動回路５２に出力する（ステップＳ４１７）。それから、ＣＰＵ４１の処理は、ステップＳ４０１に戻って同様の処理を繰り返す。
【００４９】
なお、上記実施の形態では、ステップＳ４０３、Ｓ４１３の処理で、時針４６のみを９時位置又は３時位置に移動させたが、分針４７も最初に一度同位置へ移動させることとしてもよい。
【００５０】
図８は、第１実施形態のアナログ電子時計４０の時針４６及び分針４７による表示例を示す図である。
【００５１】
図８（ａ）に示す例では、時針４６が９時方向を指し示すことで、電話の着信があったことを示していると共に、分針４７が１０時方向を指し示すことで、切欠部４７３から発信者識別番号標識のうち「５」が選択的に露出され、着信電話の発信が予め登録された登録番号「５」に該当する電話番号であることが示されている。
【００５２】
一方、図８（ｂ）に示す例では、時針４６が３時方向を示すことで、電子メールの着信があったことを示していると共に、分針４７が１０時方向を指し示すことで、切欠部４７３から送信者識別番号標識のうち「５」が選択的に露出され、着信メールの送信者を示すメールアドレスが予め登録された登録番号「５」に該当することが示されている。
【００５３】
以上のように、第１実施形態のアナログ電子時計４０は、同一軸の周りを回転する時針４６と分針４７とを備え、時針４６には、指示部４６１と円板部４６２が設けられ、円板部４６２には、同心円状に１〜１２の数値標識が設けられている。一方、分針４７には、指示部４７１、及び、円板部４７２が設けられ、円板部４７２には、切欠部４７３が設けられて、この切欠部４７３から円板部４６２の数値標識のうち一つが選択的に露出可能となっている。そして、ブルートゥース通信によりスマートフォン１０からデータを受信すると、電話の着信を示す信号の場合には、時針４６の指示部４６１を９時方向に向け、電子メールの着信を示す信号の場合には、時針４６の指示部４６１を３時方向に向ける。それから、ＲＡＭ４３の登録番号テーブル４３ａ又は登録アドレステーブル４３ｂを参照して電話の発信者又は電子メールの送信者の識別番号を取得し、当該取得された識別番号に対応する円板部４６２上の数値標識を分針４７の切欠部４７３から露出させる。このような構成により、電話の発信者や電子メールの送信者を容易に知得することが出来る。
【００５４】
また、一方の目盛をベゼル６４や文字盤６３に設けるのに対し、他方の標識を時針４６の円板部４６２上に設け、また、この円板部４６２の標識を分針４７により表示させる構成とすることで、どちらの指針がどの目盛を指し示しているのかがより明確になってユーザが情報を読み取りやすくなる。
【００５５】
また、このような構成では、従来の時計と比較して、可動部を追加したり配置を複雑にしたりする必要がないので、従来の時計を延長したデザインで容易に情報を取得することが出来る。
【００５６】
また、電話の着信の場合と、電子メールの着信の場合とで、時針４６の指示部４６１が指し示す向きが９時方向と３時方向とに各々設定されているので、時針４６の指し示す方向と分針４７の切欠部４７３から露出される標識との組み合わせで、どちらの着信があったのかと、誰からの着信かの情報をまとめて容易に知ることが出来る。
【００５７】
また、時針４６の円板部４６２には、電話の着信時と電子メールの着信時とでそれぞれユーザが読みやすい向きで識別番号標識が設けられているので、ユーザが容易に識別番号を読み取ることが出来る。
【００５８】
また、分針４７の円板部４７２に設けられた切欠部４７３から１つの識別番号標識を露出させることで不要な標識を隠すことが出来るので、ユーザは、必要な識別番号だけ容易に取得することが出来る。
【００５９】
また、スマートフォン１０といった外部機器の各種機能に係る情報をブルートゥース通信を用いて取得し、必要な情報をアナログ電子時計４０で表示させることで、常にスマートフォン１０を確認しなくても身に着けているアナログ電子時計４０から必要な情報を取得することが出来るので、ユーザの負担を軽減することが出来る。
【００６０】
また、識別番号と電話番号や電子メールアドレスとの対応関係をＲＡＭ４３の登録番号テーブル４３ａや登録アドレステーブル４３ｂに記憶させておくことが出来るので、ユーザの必要に応じて適宜設定したり、設定を解除したりすることができる。
【００６１】
［第２実施形態］
次に、第２実施形態のアナログ電子時計４０ｂについて説明する。
図９は、第２実施形態のアナログ電子時計４０ｂの正面図である。また、図１０は、第２実施形態のアナログ電子時計４０ｂにおける時針４６ｂを示す図である。
【００６２】
この第２実施形態のアナログ電子時計４０ｂは、ベゼル６４ｂに標識「ＭＡＩＬ」及び標識「ＴＥＬ」が設けられておらず、また、時針４６ｂの円板部４６２ｂ上に設けられた数値標識が異なる点を除いて第１実施形態のアナログ電子時計４０と同一の構成であり、同一の符号を付して説明を省略する。
【００６３】
図１０に示すように、第２実施形態の時針４６ｂの円板部４６２ｂ上に設けられた数値標識では、数値１〜２４を示す標識が各々１つずつ設けられ、これらの数値標識は、何れも指示部４６１ｂが３時方向を指し示しているときに上向きになるように配置されている。
【００６４】
図１１は、第２実施形態のアナログ電子時計４０ｂのＣＰＵ４１が実行する報知処理の制御手順を示すフローチャートである。
【００６５】
この第２実施形態のアナログ電子時計４０ｂによる報知処理は、第１実施形態のアナログ電子時計４０による報知処理のうち、ステップＳ４０３、Ｓ４０６、Ｓ４０７、Ｓ４１３、Ｓ４１６、Ｓ４１７の処理がそれぞれステップＳ４０３ｂ、Ｓ４０６ｂ、Ｓ４０７ｂ、Ｓ４１３ｂ、Ｓ４１６ｂ、Ｓ４１７ｂに変更されている。その他の処理の内容及び処理の手順は、第１実施形態のアナログ電子時計４０による報知処理と同一であり、同一の符号を付して説明を省略する。
【００６６】
ステップＳ４０２の処理で、電話着信を示す信号であると判別された場合には、ＣＰＵ４１は、ステップモータ駆動回路５２に命令を送り、時針４６ｂと分針４７とを１２時方向を指し示すように移動させる（ステップＳ４０３ｂ）。一方、ステップＳ４１２の処理で、メール着信を示す信号であると判別された場合には、ＣＰＵ４１は、ステップモータ駆動回路５２に命令を送り、時針４６ｂと分針４７とを６時方向を指し示すように移動させる（ステップＳ４１３ｂ）。
【００６７】
ステップＳ４０５の判別処理で、着信電話番号が登録番号テーブル４３ａに登録されていると判別された場合には、ＣＰＵ４１は、ステップモータ駆動回路５２に命令を送り、分針４７を移動させて、文字盤６３の識別番号標識の中から、取得された発信者識別番号に対応する標識を切欠部４７３から選択的に露出させる（ステップＳ４０６ｂ）。また、着信電話番号が登録番号テーブル４３ａに登録されていないと判別された場合には、ＣＰＵ４１は、ステップモータ駆動回路５２に命令を送り、分針４７を移動させて、識別番号標識「２４」を切欠部４７３から露出させる（ステップＳ４０７ｂ）。ステップＳ４０６ｂ、Ｓ４０７ｂの何れかの処理が行われると、ＣＰＵ４１の処理は、ステップＳ４０１に戻る。
【００６８】
ステップＳ４１５の判別処理で、着信メールアドレスが登録アドレステーブル４３ｂに登録されていると判別された場合には、ＣＰＵ４１は、ステップモータ駆動回路５２に命令を送り、分針４７を移動させて、文字盤６３の識別番号標識の中から、取得された送信者識別番号に対応する標識を切欠部４７３から選択的に露出させる（ステップＳ４１６ｂ）。また、着信メールアドレスが登録アドレステーブル４３ｂに登録されていないと判別された場合には、ＣＰＵ４１は、ステップモータ駆動回路５２に命令を送り、分針４７を移動させて、識別番号標識「２４」を切欠部４７３から露出させる（ステップＳ４１７ｂ）。ステップＳ４１６ｂ、Ｓ４１７ｂの何れかの処理が行われると、ＣＰＵ４１の処理は、ステップＳ４０１に戻る。
【００６９】
図１２、及び、図１３には、第２実施形態のアナログ電子時計４０ｂにおける時針４６ｂ及び分針４７の表示例を示す。
【００７０】
電話の着信を示す信号をスマートフォン１０から受信すると、アナログ電子時計４０ｂでは、図１２（ａ）に示すように、先ず、時針４６ｂ及び分針４７を何れも１２時方向に向ける。それから、アナログ電子時計４０ｂでは、図１２（ｂ）に示すように、時針４６ｂを３時方向に向けるとともに、取得した着信電話番号の情報に基づいて、時針４６ｂの円板部４６２ｂ上の識別番号標識のうち、登録番号テーブル４３ａから検索された識別番号に対応する識別番号標識、ここでは「５」が切欠部４７３から露出されるように分針４７の向きを変更する。本実施形態の時針４６ｂでは、識別番号標識「５」は、図１０に示したように、指示部４６１ｂが３時方向を指している場合に、円板部４６２ｂの４時方向の位置に設けられている。また、分針４７では、指示部４７１と切欠部４７３とが１８０度反対側に設けられている。従って、分針４７を１０時方向に向けることによって、切欠部４７３から識別番号標識「５」を露出させることが出来る。
【００７１】
一方、図１３に示すように、電子メールの着信を示す信号をスマートフォン１０から受信すると、アナログ電子時計４０ｂでは、先ず、時針４６ｂ及び分針４７を何れも６時方向に向ける。それから、取得した着信メールアドレスの情報に基づいて登録アドレステーブル４３ｂから識別番号が検索されると、この第２実施形態のアナログ電子時計４０ｂでは、電話着信の場合と同様に時針４６ｂ及び分針４７を移動させる。即ち、検索により同定されたメールアドレスの識別番号が「５」である場合には、図１２（ｂ）に示した電話着信の報知を行う場合と同様に、時針４６ｂを３時方向に向けるとともに、分針４７を１０時方向に向けて、分針４７の切欠部４７３から識別番号標識「５」を露出させる。
【００７２】
以上のように、第２実施形態のアナログ電子時計４０ｂでは、電話の着信時には、先ず、時針４６及び分針４７に１２時方向を指し示させた後に、時針４６を３時方向に向け、分針４７の切欠部４７３から一の識別番号標識を露出させる。また、電子メールの受信時には、先ず、時針４６及び分針４７に６時方向を指し示させた後に、時針４６を３時方向に向け、また、分針４７の切欠部４７３から一の識別番号標識を露出させる。このような動作処理とすることで、電話着信時の識別番号標識と、電子メールの受信時の識別番号標識を共通に用いることが出来、従って、識別番号の数を第１実施形態の場合の倍となる２４個ずつにすることができる。また、識別番号標識を露出させる際の時針４６の向きを一の方向に定めることが出来るので、全ての識別番号標識の向きを統一することで、ユーザが容易に識別番号を読み取りやすくなる。
【００７３】
［変形例］
図１４は、第２実施形態のアナログ電子時計の変形例における時針及び分針による表示例を示す正面図である。また、図１５は、第２実施形態のアナログ電子時計の変形例の時針４６ｃを示す図である。
【００７４】
この変形例のアナログ電子時計４０ｃでは、図１５に示すように、時針４６ｃの円板部４６２ｃに設けられた識別番号標識が同一の円周方向に向いて配列されている。その他の構成は、図１４に示すように、第２実施形態のアナログ電子時計４０ｂと同一の構成であり、同一の符号を付して説明を省略する。
【００７５】
この変形例のアナログ電子時計４０ｃでは、第２実施形態のアナログ電子時計４０ｂとは反対に、分針４７を３時方向に向け、時針４６ｃを回転させて切欠部４７３から識別番号標識のうちの１つを選択的に露出させる。ここでは、例えば、時針４６ｃを８時方向に向けることにより、識別番号標識「５」を切欠部４７３から露出させている。
【００７６】
上記のような構成とすることで、変形例のアナログ電子時計４０ｃでは、識別番号を表示させる際に切欠部４７３が常に９時方向に位置することになり、従って、円周方向に向いた識別番号標識により、識別番号を常に上向きで表示させることが出来る。
また、時針４６ｃよりも長い分針４７を３時方向に向けることで着信の報知を行うので、報知動作をユーザが認識しやすくなる。
【００７７】
［第３実施形態］
次に、第３実施形態のアナログ電子時計について説明する。
図１６は、第３実施形態のアナログ電子時計４０ｄの正面図である。また、図１７は、第３実施形態のアナログ電子時計４０ｄにおける時針４６ｄを示す図である。
【００７８】
この第３実施形態のアナログ電子時計では、図１６に示すように、文字盤６３ｄの各正時の方向には、１〜１２の数値が設けられている。また、図１７に示すように、時針４６ｄの円板部４６２ｄには、２箇所に標識「ＴＥＬ」と標識「ＭＡＩＬ」とがそれぞれ設けられている。これら以外の構成は、第２実施形態のアナログ電子時計４０ｂと同一であり、同一の符号を付して説明を省略する。
【００７９】
図１８は、第３実施形態のアナログ電子時計４０ｄのＣＰＵ４１が実行する報知処理の制御手順を示すフローチャートである。
【００８０】
この第３実施形態のアナログ電子時計４０ｄのＣＰＵ４１が実行する報知処理では、第２実施形態のアナログ電子時計４０ｂのＣＰＵ４１が実行する報知処理におけるステップＳ４０３ｂ、Ｓ４１３ｂの処理が省略されて、代わりにステップＳ４０８ｄ、Ｓ４１８ｄの処理が追加されている。また、ステップＳ４０６ｂ、Ｓ４０７ｂ、Ｓ４１６ｂ、Ｓ４１７ｂの処理が、それぞれ、ステップＳ４０６ｄ、Ｓ４０７ｄ、Ｓ４１６ｄ、Ｓ４１７ｄの処理に変更されている。アナログ電子時計４０ｄのこれ以外の処理については、アナログ電子時計４０ｂの処理と同一であり、同一の符号を付して説明を省略する。
【００８１】
この第３実施形態のアナログ電子時計４０ｄにおける報知処理では、ステップＳ４０２の処理で、受信データが電話着信を示す信号であると判別された場合には、ＣＰＵ４１は、そのまま処理をステップＳ４０４に移行させて、電話発信者の識別処理を行う。また、ステップＳ４１２の処理で、受信データがメール着信を示す信号であると判別された場合には、ＣＰＵ４１は、そのまま処理をステップＳ４１４に移行させて、電子メールの送信者の識別処理を行う。
【００８２】
また、ステップＳ４０５の判別処理で、着信電話番号が登録番号テーブル４３ａに記憶されていると判別された場合には、ＣＰＵ４１は、ステップモータ駆動回路５２に分針４７を移動させる命令を出力し、取得された発信者識別番号に対応する文字盤６３ｄ上の目盛位置を分針４７が指し示すように移動させる（ステップＳ４０６ｄ）。それから、ＣＰＵ４１の処理は、ステップＳ４０８ｄに移行する。一方、着信電話番号が登録番号テーブル４３ａに記憶されていないと判別された場合には、ＣＰＵ４１は、ステップモータ駆動回路５２に命令を出力して、分針４７を１２時方向に移動させて文字盤６３ｄの数値目盛「１２」を指し示させる（ステップＳ４０７ｄ）。それから、ＣＰＵ４１の処理は、ステップＳ４０８ｄに移行する。
【００８３】
ステップＳ４０８ｄの処理に移行すると、ＣＰＵ４１は、続いて、ステップモータ駆動回路５２に命令を出力して、時針４６ｄを移動させる。このとき、時針４６ｄの円板部４６２ｄに設けられた標識「ＴＥＬ」が分針４７の切欠部４７３から選択的に露出されるように時針４６ｄの指し示す方向が定められる。そして、ステップモータ駆動回路５２への命令の出力が終了すると、ＣＰＵ４１の処理は、ステップＳ４０１に戻る。
【００８４】
ステップＳ４１５の判別処理で、着信メールアドレスが登録アドレステーブル４３ｂに記憶されていると判別された場合には、ＣＰＵ４１は、ステップモータ駆動回路５２に分針４７を移動させる命令を出力し、取得された送信者識別番号に対応する文字盤６３ｄ上の目盛位置を分針４７が指し示すように移動させる（ステップＳ４１６ｄ）。それから、ＣＰＵ４１の処理は、ステップＳ４１８ｄに移行する。一方、着信メールアドレスが登録アドレステーブル４３ｂに記憶されていないと判別された場合には、ＣＰＵ４１は、ステップモータ駆動回路５２に命令を出力して、分針４７を１２時方向に移動させて文字盤６３ｄの数値目盛「１２」を指し示させる（ステップＳ４１７ｄ）。それから、ＣＰＵ４１の処理は、ステップＳ４１８ｄに移行する。
【００８５】
ステップＳ４１８ｄの処理に移行すると、ＣＰＵ４１は、続いて、ステップモータ駆動回路５２に命令を出力して、時針４６ｄを移動させる。このとき、時針４６ｄの円板部４６２ｄに設けられた標識「ＭＡＩＬ」が分針４７の切欠部４７３から選択的に露出されるように時針４６ｄの指し示す方向が定められる。そして、ステップモータ駆動回路５２への命令の出力が終了すると、ＣＰＵ４１の処理は、ステップＳ４０１に戻る。
【００８６】
図１９は、第３実施形態のアナログ電子時計４０ｄの時針４６ｄ及び分針４７による表示例を示す図である。
【００８７】
このアナログ電子時計４０ｄでは、分針４７の指示部４７１が１０時方向を向いていることで、識別番号が「１０」であることが示されている。このとき、分針４７の切欠部４７３は、４時方向に位置している。そして、時針４６ｄが３時方向を向いているので、切欠部４７３からは、円板部４６２ｄ上の標識「ＴＥＬ」が露出されている。これにより、アナログ電子時計４０ｄでは、スマートフォン１０において電話の着信があり、電話の発信者の識別番号が「１０」であることが示されている。
【００８８】
以上のように、第３実施形態のアナログ電子時計４０ｄでは、識別番号の表示には、従来の時計の文字盤６３ｄの表記が流用されていると共に、スマートフォン１０から受信した報知内容が電話の着信か、又は、電子メールの受信かを示す標識が時針４６の円板部４６２に設けられて、切欠部４７３から選択的に露出される。従って、文字盤６３ｄのデザインを従来の時計のものから変更せずに必要な情報を容易にユーザに提供することが出来る。
【００８９】
なお、本発明は、上記実施の形態に限られるものではなく、様々な変更が可能である。
例えば、上記実施の形態では、切欠部４７３から識別番号標識を露出させる構成としたが、他の形状、例えば、通常の矢印で指し示したり、円環形状で囲んだりするようなデザインも選択することができる。
また、分針４７における指示部４７１と切欠部４７３の位置関係は、重ならない限り任意に設定することが出来る。
【００９０】
また、第１実施形態のアナログ電子時計４０及び第３実施形態のアナログ電子時計４０ｄでは、時針４６と分針４７の移動位置を予め決定した後に同時に移動させることとしても良い。或いは、第３実施形態のアナログ電子時計４０ｄでも、先ず、スマートフォン１０から受信した内容が電話の着信であるか、電子メールの受信であるかを示すように時針４６及び分針４７を移動させ、その後、表示された受信内容を維持したまま時針４６及び分針４７を並列に移動させて識別番号標識を表示させることとしてもよい。
【００９１】
また、上記実施の形態では、電話の着信と電子メールの受信とを例に挙げて説明したが、その他の情報、例えば、天気予報や気象注意報、津波注意報、地震警報や、設定された鉄道路線やバス路線の遅延状況、スマートフォン１０で実行されていたプログラム動作の完了通知など、種々の情報を設定して表示させることが出来る。また、これらの場合に、指針の動作と、振動モータ５５、ピエゾ素子５７、ＬＥＤ５９などの動作と組み合わせて報知することとしても良い。
【００９２】
また、ブルートゥース通信によりスマートフォン１０などの外部機器から取得された情報に限らず、アナログ電子時計４０の種々の動作に係る情報の報知、例えば、バッテリ状態の通知や、気圧計、方位計などのセンサを有するアナログ電子時計４０におけるエラー通知などにも利用することが出来る。
また、外部機器から情報を取得する場合にも、データの取得方法は、ブルートゥース通信に限られず、他の近距離無線や赤外線通信などを用いることとしても良い。また、外部機器は、スマートフォン１０に限られず、携帯電話、ＰＤＡ（Personal Digital Assistant）などの各種携帯端末から情報を取得することが出来る。また、通信機能を備える機器であれば、携帯端末に限られず、室内に据え置きされる種々の家電機器などから情報を取得することとしても良い。
また、指針表示装置の実施形態として、アナログ電子時計を例に挙げて説明したが、これに限られない。複数の指針を同軸に対して各々独立に回転駆動することで表示を行う他の表示装置、例えば、歩数計、温度・湿度計、電流・電圧計などに本発明を適用することも可能である。
【００９３】
また、上記実施の形態では、ＲＡＭ４３に識別番号と電話番号や電子メールアドレスを対応付けて記憶させ、アナログ電子時計４０で受信された電話番号や電子メールアドレスを表示内容に変換して時針４６、分針４７に表示させることとしたが、設定情報を全てスマートフォン１０の記憶部１４に保持させて、スマートフォン１０からアナログ電子時計４０にデータ送信する際に、識別番号を出力することとしても良い。
その他、上記実施の形態で示した具体的な細部の構成や数値、処理の順番などは、本発明の趣旨を逸脱しない範囲において適宜変更可能である。
【００９４】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００９５】
［付記］
＜請求項１＞
第１の指示部と、複数の情報が円周上に印された標識部とが設けられた第１の指針と、
この第１の指針と同心的に回転して、第２の指示部と、この第２の指示部と異なる位置に第３の指示部とが設けられた第２の指針と、
前記第１の指針の前記第１の指示部が予め決められた方向を指すように、前記第１の指針を回転させる第１の制御手段と、
前記第２の指針を回転させて、前記第２の指針の前記第３の指示部に前記標識部の前記複数の情報のうち１つの情報を選択的に示させる第２の制御手段と
を備えることを特徴とする指針表示装置。
＜請求項２＞
第１の指示部と、複数の情報が円周上に印された標識部とが設けられた第１の指針と、
この第１の指針と同心的に回転して、第２の指示部と、この第２の指示部と異なる位置に第３の指示部とが設けられた第２の指針と、
前記第２の指針の前記第２の指示部が予め定められた方向を指すように、前記第２の指針を回転させる第３の制御手段と、
前記第１の指針を回転させて、前記標識部に印された前記複数の情報のうち１つの情報を前記第２の指針の前記第３の指示部の位置に対応させる第４の制御手段と、
を備えたことを特徴とする指針表示装置。
＜請求項３＞
前記予め定められた方向は、前記標識部を用いて表示させる内容に基づいて所定の複数の方向から選択される
ことを特徴とする請求項１又は２記載の指針表示装置。
＜請求項４＞
前記標識部に印された前記複数の情報は、前記所定の複数の方向にそれぞれ対応した向きで各々設けられている
ことを特徴とする請求項３記載の指針表示装置。
＜請求項５＞
前記第２の指針は、前記第１の指針の上部に設けられ、
前記第３の指示部は、切欠形状であり、前記標識部に印された複数の情報のうち１つを選択的に露出させる
ことを特徴とする請求項１〜４の何れか一項に記載の指針表示装置。
＜請求項６＞
外部機器との間で無線通信を介して情報の送受信を行う通信手段を備え、
前記複数の情報は、この通信手段により取得された情報である
ことを特徴とする請求項１〜５の何れか一項に記載の指針表示装置。
＜請求項７＞
前記複数の情報と対応付けて予め設定された情報の内容を記憶する記憶手段を備え、
前記第２の制御手段は、前記記憶手段に記憶された内容に基づいて前記第２の指針を移動させる
ことを特徴とする請求項１に記載の指針表示装置。
＜請求項８＞
前記複数の情報と対応付けて予め設定された情報の内容を記憶する記憶手段を備え、
前記第４の制御手段は、前記記憶手段に記憶された内容に基づいて前記第２の指針を移動させる
ことを特徴とする請求項２に記載の指針表示装置。
【符号の説明】
【００９６】
１     情報表示システム
１０   スマートフォン
１１   ＣＰＵ
１２   ＲＯＭ
１３   ＲＡＭ
１４   記憶部
１５   操作部
１６   内蔵時計
１７   表示部
１８   ドライバ
１９   スピーカ
２０   マイク
２１   コーデック
２２   ＲＦ送受信回路
２３   通信回路
２４   Bluetoothモジュール
２５   ＵＡＲＴ
２６   バス
４０、４０ｂ、４０ｃ、４０ｄ       アナログ電子時計
４１   ＣＰＵ
４２   ＲＯＭ
４３   ＲＡＭ
４３ａ 登録番号テーブル
４３ｂ 登録アドレステーブル
４４   操作部
４５   計時回路
４６、４６ａ、４６ｂ、４６ｃ、４６ｄ      時針
４６１、４６１ｂ     指示部
４６２、４６２ｂ、４６２ｃ、４６２ｄ      円板部
４７   分針
４７１ 指示部
４７２ 円板部
４７３ 切欠部
４８、４９    輪列機構
５０、５１    ステップモータ
５２   ステップモータ駆動回路
５３   Bluetoothモジュール
５４   ＵＡＲＴ
５５   振動モータ
５６   ドライバ
５７   ピエゾ素子
５８   ドライバ
５９   ＬＥＤ
６０   ドライバ
６１   バス
６２   ケーシング
６３、６３ｄ  文字盤
６４、６４ｂ  ベゼル
ＡＮ１１      ＲＦ送受信用アンテナ
ＡＮ１２      アンテナ
ＡＮ４ アンテナ
Ｂ１〜Ｂ４    押しボタンスイッチ
【図１】
0005906796.tif 000002
【図２】
0005906796.tif 000003
【図３】
0005906796.tif 000004
【図４】
0005906796.tif 000005
【図５】
0005906796.tif 000006
【図６】
0005906796.tif 000007
【図７】
0005906796.tif 000008
【図８】
0005906796.tif 000009
【図９】
0005906796.tif 000010
【図１０】
0005906796.tif 000011
【図１１】
0005906796.tif 000012
【図１２】
0005906796.tif 000013
【図１３】
0005906796.tif 000014
【図１４】
0005906796.tif 000015
【図１５】
0005906796.tif 000016
【図１６】
0005906796.tif 000017
【図１７】
0005906796.tif 000018
【図１８】
0005906796.tif 000019
【図１９】
0005906796.tif 000020